(57)【要約】【課題】特に、直感的に、物理量変化の分布や境界を識別可能なハンディ型の物理量測定装置を提供することを目的とする。【解決手段】本発明におけるハンディ型の物理量測定装置（１）は、把持可能な本体部（２）と、前記本体部に支持された表示機能部（３）と、を有し、表示機能部は、物理量検出部（５）と、物理量検出部の測定値変化に応じて、表示状態が変化する発光部（４）と、有することを特徴とする。本発明では、表示機能部は、前記本体部の両端に配置されることが好ましい。【選択図】図４
2019074390.tif 000002
【特許請求の範囲】
【請求項１】
把持可能な本体部と、前記本体部に支持された表示機能部と、を有し、
前記表示機能部は、物理量検出部と、前記物理量検出部の測定値変化に応じて、表示状態が変化する発光部と、を有することを特徴とするハンディ型の物理量測定装置。
【請求項２】
前記表示機能部は、前記本体部の両端に配置されることを特徴とする請求項１に記載のハンディ型の物理量測定装置。
【請求項３】
前記表示機能部は、前記本体部の両端より内側の前記両端の間にも配置されることを特徴とする請求項２に記載のハンディ型の物理量測定装置。
【請求項４】
複数の前記表示機能部の各物理量検出部は、物理量変化に対して、同じ感度に設定されていることを特徴とする請求項２又は請求項３に記載のハンディ型の物理量測定装置。
【請求項５】
前記本体部の端部に配置される前記表示機能部では、前記本体部の端部側から前記発光部及び前記物理量検出部の順に配置されていることを特徴とする請求項１から請求項４のいずれかに記載のハンディ型の物理量測定装置。
【請求項６】
前記物理量検出部は、窓を有するハウジングの内部に配置されていることを特徴とする請求項１から請求項５のいずれかに記載のハンディ型の物理量測定装置。
【請求項７】
前記物理量検出部は、風速検出部であることを特徴とする請求項１から請求項６のいずれかに記載のハンディ型の物理量測定装置。
【請求項８】
前記ハンディ型の物理量測定装置を、物理量変化を測定したい箇所に移動させ、前記表示機能部における発光部の表示状態の変化に基づいて、物理量変化の状況を認識可能としたことを特徴とする請求項１から請求項７のいずれかに記載のハンディ型の物理量測定装置。
【請求項９】
複数の前記表示機能部を有する前記ハンディ型の物理量測定装置を、物理量変化を測定したい箇所に移動させ、各表示機能部における発光部の表示状態の違いに基づいて、物理量変化の状況を認識可能としたことを特徴とする請求項２又は請求項３に記載のハンディ型の物理量測定装置。
【発明の詳細な説明】
【技術分野】
【０００１】
この発明は、ハンディ型の物理量測定装置に関する。
【背景技術】
【０００２】
下記の特許文献１には、風力を簡易的に確認することが可能な簡易風向計に関する発明が開示されている。
【０００３】
また、下記の特許文献２には、領域ごとに流れる風を検知する風情報検知装置を備え、該風情報検知装置によって検知された風情報を、各領域に設けられたＬＥＤ等の表示状態によって報知する報知システムに関する発明が開示されている。
【先行技術文献】
【特許文献】
【０００４】
【特許文献１】特開２００９−２０１９６６号公報
【特許文献２】特許第５５０４７７７号公報
【発明の概要】
【発明が解決しようとする課題】
【０００５】
しかしながら、特許文献１及び特許文献２に記載の発明では、いずれも、使用者が測定したい範囲の風の分布や境界を、簡単に且つ直感的に識別することができない。
【０００６】
特許文献１では、粉状物や液状物を噴出させ、噴出状態に基づいて、風力を把握している。このため、大まかな風力を把握することしかできず、上記した風の分布や境界を直感的に識別することは難しい。しかも、粉状物や液状物を噴出させるため、室内や試験場等で使用することができず、使い勝手が悪い。
【０００７】
また、特許文献２では、風情報検知装置を歩道に固定しているため、使用者が知りたい箇所の風の状況を自由に測定できない。しかも、特許文献２では、風情報検知装置と、ＬＥＤパネルとの距離が離れている。このため、歩道を歩く通行人が感じる風の状況と、ＬＥＤの表示とが異なりやすく、通行人の感覚とＬＥＤの表示との間にずれが生じやすい。したがって、特許文献２の構成では、使用者が測定したい範囲の風の分布や境界を、簡単に且つ直感的に識別することができない。
【０００８】
そこで本発明は、上記問題に鑑みてなされたもので、特に、直感的に、物理量変化の分布や境界を識別可能なハンディ型の物理量測定装置を提供することを目的とする。
【課題を解決するための手段】
【０００９】
本発明におけるハンディ型の物理量測定装置は、把持可能な本体部と、前記本体部に支持された表示機能部と、を有し、前記表示機能部は、物理量検出部と、前記物理量検出部の測定値変化に応じて、表示状態が変化する発光部と、を有することを特徴とする。
【００１０】
本発明では、前記表示機能部は、前記本体部の両端に配置されることが好ましい。
【００１１】
本発明では、前記表示機能部は、前記本体部の両端より内側の前記両端の間にも配置されている構成にできる。
【００１２】
本発明では、複数の前記表示機能部の各物理量検出部は、物理量変化に対して、同じ感度に設定されていることが好ましい。
【００１３】
本発明では、前記本体部の端部に配置される前記表示機能部では、前記本体部の端部側から前記発光部及び前記物理量検出部の順に配置されていることが好ましい。
【００１４】
本発明では、前記物理量検出部は、窓を有するハウジングの内部に配置されていることが好ましい。
【００１５】
本発明では、前記物理量検出部は、風速検出部であることが好ましい。
【００１６】
本発明におけるハンディ型の物理量測定装置は、前記ハンディ型の物理量測定装置を、物理量変化を測定したい箇所に移動させ、前記表示機能部における発光部の表示状態の変化に基づいて、物理量変化の状況を認識可能としたことを特徴とする。
【００１７】
また、本発明におけるハンディ型の物理量測定装置は、複数の前記表示機能部を有する前記ハンディ型の物理量測定装置を、物理量変化を測定したい箇所に移動させ、各表示機能部における発光部の表示状態の違いに基づいて、物理量変化の状況を認識可能としたことを特徴とする。
【発明の効果】
【００１８】
本発明のハンディ型の物理量測定装置によれば、簡単に且つ直感的に、物理量変化の状況（物理量変化の分布や境界等）を識別することが可能である。
【図面の簡単な説明】
【００１９】
【図１】本発明の第１実施形態におけるハンディ型の風速測定装置の概略斜視図である概念図である。
【図２】第１実施形態におけるハンディ型の風速測定装置の概略ブロック図である。
【図３】第１実施形態のハンディ型の風速測定装置に用いられる風速検出部の回路図である。
【図４】本発明の第２実施形態におけるハンディ型の風速測定装置の概略斜視図である概念図である。
【図５】第２実施形態におけるハンディ型の風速測定装置を用いて、風速測定の状況を説明するための概念図である。
【図６】本発明の第３実施形態におけるハンディ型の風速測定装置の概略斜視図である概念図である。
【図７】第３実施形態における風速測定装置の構造を具体的に示したものであり、図７Ａは、正面図であり、図７Ｂは、斜視図である。
【図８】風速検出部と、フルカラーＬＥＤとがユニット化された一例を示す概略図である。
【図９】図７とは異なる風速測定装置の構造を具体的に示したものであり、図７Ａは、正面図であり、図７Ｂは、斜視図である。
【発明を実施するための形態】
【００２０】
以下、本発明の一実施形態（以下、「実施形態」と略記する。）について、詳細に説明する。なお、本発明は、以下の実施形態に限定されるものではなく、その要旨の範囲内で種々変形して実施することができる。
【００２１】
図１は、本発明の第１実施形態におけるハンディ型の風速測定装置の概略斜視図である概念図である。図２は、第１実施形態におけるハンディ型の風速測定装置の概略ブロック図である。図３は、第１実施形態のハンディ型の風速測定装置に用いられる流量センサの回路図である。
【００２２】
図１に示すように、本実施形態における風速測定装置１は、筒状の本体部２と、本体部２の一方の端部２ａ（図１では、図示左端部）に設けられた表示機能部３と、を有して構成される。
【００２３】
図１に示す本体部２は、例えば、円筒状であるが、形状を限定するものではない。例えば、本体部２は、角型であってもよい。本体部２の表面２ｂの全体、或いはその一部は、操作者（使用者）が、手で把持することの可能な把持部である。
【００２４】
また、本体部２は、材質を限定するものでなく、例えば、金属や樹脂、木製等で形成可能である。
【００２５】
図１に示す表示機能部３は、発光部４と、発光部４に近接して配置された風速検出部（風速センサ）５と、を有して構成される。
【００２６】
図１に示す風速測定装置１は、操作者が手に持って、測定したい箇所の風速を直に測定することが可能なハンディ型の風速測定装置である。
【００２７】
図２は、風速測定装置１の制御系統を示す。図２に示すように、風速検出部５と、マイコン７と、フルカラーＬＥＤ８とが、電気的に接続されている。フルカラーＬＥＤ８は、ＲＧＢ３色のＬＥＤを一つのパッケージにまとめ、フルカラーを出せるように構成されたＬＥＤである。なお、フルカラーＬＥＤ８は、一例であり、本実施形態では、既存の発光素子を用いることができる。
【００２８】
風速検出部５にて測定された風速情報は、マイコン７に送信される。マイコン７には、例えば、以下の表１に示す風速と、ＬＥＤ表示色との関係を紐付けた対応関係が記憶されている。そして、マイコン７では、風速検出部５の風速情報に基づいて、赤、緑、及び青の各色のＬＥＤの明るさを制御する。これにより、フルカラーＬＥＤ８は、風速に対応した色にて発光する。
【００２９】
フルカラーＬＥＤ８は、図１に示す発光部４の内部に配置されている。発光部４の表面は、例えば、透明或いは半透明の材質で形成されている。そして、フルカラーＬＥＤ８が発光することで、発光部４の表面が、フルカラーＬＥＤ８の発光色或いは、それに近い色にて発光する。或いは、発光部４の表面に窓が設けられており、窓を通して、フルカラーＬＥＤ８の発光色を見ることができる構成であってもよい。
【００３０】
【表１】
2019074390.tif 000003
【００３１】
本実施形態では、表１に示すように、風速に応じて、発光部４の表示色が変化する。なお、「表示色」とは、色相のみならず、明度（濃度）を含む概念である。また、本実施形態では、上記の表示色の変化や、色の点滅等も含めた表示状態を変化させることができる。
【００３２】
また、本実施形態では、風速検出部５における風速の測定原理を特に限定するものではないが、以下では、風速の測定原理の一例を、図３の回路図を用いて説明する。
【００３３】
図３に示すように、風速検出部５は、流量検知用抵抗素子４３と、温度補償用抵抗素子４４と、抵抗器４６、４７とでブリッジ回路４８を構成している。図３に示すように、流量検知用抵抗素子４３と抵抗器４６とで第１の直列回路４９を構成し、温度補償用抵抗素子４４と抵抗器４７とで第２の直列回路５０を構成している。そして、第１の直列回路４９と第２の直列回路５０とが、並列に接続されてブリッジ回路４８を構成している。
【００３４】
図３に示すように、第１の直列回路４９の出力部５１と、第２の直列回路５０の出力部５２とが、夫々、差動増幅器（アンプ）５３に接続されている。ブリッジ回路４８には、差動増幅器５３を含めたフィードバック回路５４が接続されている。フィードバック回路５４には、トランジスタ（図示せず）等が含まれる。
【００３５】
抵抗器４６、４７は、流量検知用抵抗素子４３、及び温度補償用抵抗素子４４よりも抵抗温度係数（ＴＣＲ）が小さい。流量検知用抵抗素子４３は、例えば、所定の周囲温度よりも所定値だけ高くなるように制御された加熱状態で、所定の抵抗値Ｒｓ１を有し、また、温度補償用抵抗素子４４は、例えば、前記の周囲温度にて、所定の抵抗値Ｒｓ２を有するように制御されている。なお、抵抗値Ｒｓ１は、抵抗値Ｒｓ２よりも小さい。流量検知用抵抗素子４３と第１の直列回路４９を構成する抵抗器４６は、例えば、流量検知用抵抗素子４３の抵抗値Ｒｓ１と同様の抵抗値Ｒ１を有する固定抵抗器である。また、温度補償用抵抗素子４４と第２の直列回路５０を構成する抵抗器４７は、例えば、温度補償用抵抗素子４４の抵抗値Ｒｓ２と同様の抵抗値Ｒ２を有する固定抵抗器である。
【００３６】
なお、図３に示す流量検知用抵抗素子４３は、風を受けるように構成されており、温度補償用抵抗素子４４は、風の影響を受けず、風の温度で抵抗値が決まるように構成される。
【００３７】
無風状態から風が吹くと、風は、流量検知用抵抗素子４３まで伝わる。このとき、発熱抵抗である流量検知用抵抗素子４３の温度は低下するため、流量検知用抵抗素子４３が接続された第１の直列回路４９の出力部５１の電位が変動する。これにより、差動増幅器５３により差動出力が得られる。そして、フィードバック回路５４では、差動出力に基づいて、流量検知用抵抗素子４３に駆動電圧を印加する。この駆動電圧に基づいて、マイコン７では、風速を検知（演算）することができる。
【００３８】
図４は、本発明の第２実施形態におけるハンディ型の風速測定装置の概略斜視図である概念図である。図４に示す風速測定装置１０では、本体部２の両端に、夫々、第１の表示機能部１１と、第２の表示機能部１２とが配置されている。第１の表示機能部１１と、第２の表示機能部１２とは、夫々、図１に示す表示機能部３と同様に、発光部４と風速検出部５とを有して構成される。
【００３９】
図４に示す各風速検出部５は、風速に対して同じ感度に設定されている。したがって、第１の表示機能部１１の風速検出部５と、第２の表示機能部１２の風速検出部５に当たる風速が同じであれば、第１の表示機能部１１の発光部４、及び、第２の表示機能部１２の発光部４を、同じ表示色で発光させることができる。
【００４０】
例えば、図５に示すように、エアコン６０の空気吹出部（図示せず）から吹き出される風速の状況（風速の分布や境界等）を調べるために、図４に示す風速測定装置１０を用いる。図５に示すように、風速測定装置１０を略上下方向に立てた状態となるように手で握り、風速測定装置１０を、例えば、（ｃ）の位置に持っていく。（ｃ）の位置では、風が流れていない。したがって、風速測定装置１０の第１の表示機能部１１の風速検出部５、及び、第２の表示機能部１２の風速検出部５は共に風を検出せず、表１に基づいて、第１の表示機能部１１及び第２の表示機能部１２の各発光部４は共に、消灯した状態である。
【００４１】
次に、図５に示す（ｃ）の位置から（ｂ）の位置に、風速測定装置１０を移動させる。このとき、風速測定装置１０の上側に向けられた第１の表示機能部１１は、エアコン６０からの送風領域Ａ内にあり、風速測定装置１０の下側に向けられた第２の表示機能部１２は、送風領域Ａの外側に位置する。このため、第１の表示機能部１１の風速検出部５には強い風が当たり、第２の表示機能部１２の風速検出部５には、第１の表示機能部の風速検出部よりも弱い風が当たる（或いは無風である）。このため、表１に基づいて、例えば、第１の表示機能部１１の発光部４は、強い風速を示す赤色に発光し、第２の表示機能部１２の発光部４は、弱い風速を示す青色に発光する（或いは消灯した状態である）。このように、第１の表示機能部１１と、第２の表示機能部１２とで、発光部４の表示色が違っているため、（ｂ）の測定位置において、直感的に、第１の表示機能部１１付近の高さ位置では風が強く、第２の表示機能部１２の付近の高さ位置では、風が弱いとの風速分布を識別できる。或いは、（ｂ）の測定位置において、第１の表示機能部１１と第２の表示機能部１２との間の高さ位置に、風の強弱の境界が存在することを識別できる。
【００４２】
また、図５に示す（ｂ）の位置から（ａ）の位置に、風速測定装置１０を移動させる。このとき、風速測定装置１０の下側に向けられた第２の表示機能部１２は、エアコン６０からの送付領域Ａ内にあり、風速測定装置１０の上側に向けられた第１の表示機能部１１は、送風領域Ａの外側に位置する。このため、第２の表示機能部１２には強い風が当たり、第１の表示機能部１１には弱い風が当たる（或いは、無風である）。このため、表１に基づいて、例えば、第２の表示機能部１２の発光部４は、強い風速を示すオレンジに発光し、第１の表示機能部１１の発光部４は、弱い風速を示す青色に発光する（或いは消灯した状態である）。このため、（ａ）の測定位置において、直感的に、第２の表示機能部１２の高さ位置では、風が強く、第１の表示機能部１１の位置では、風が弱くなる風速の分布を識別できる。或いは、（ａ）の測定位置において、第１の表示機能部１１と第２の表示機能部１２との間の高さ位置に、風の強弱の境界が存在することを識別できる。
【００４３】
また、（ｂ）の位置と（ａ）の位置でも、強い風を示す表示色が異なっているため、（ｂ）と（ａ）との間でも風速は一様ではなく、多少、風速に違いがあることを認識することができる。
【００４４】
また、本実施形態では、風速分布や境界を認識し、その認識に基づいて、例えば、風速計を辺りに設置すればよいか適切に知ることができる。
【００４５】
図６は、本発明の第３実施形態におけるハンディ型の風速測定装置の概略斜視図である概念図である。図６に示す風速測定装置２０は、図４に示す風速測定装置１０の変形例であり、図６では、表示機能部２３、２４、２５が３か所に配置されている。すなわち、図６に示す風速測定装置２０では、表示機能部２３、２４が、本体部２の両側の端部２ａ、２ｃに配置されると共に、本体部２の両端より内側の両端の間の位置にも１カ所、表示機能部２５が配置されている。
【００４６】
図６では、本体部２は、第１の本体部２１と、第２の本体部２２とに分離した構成とされており、第１の本体部２１と第２の本体部２２との間に、１つの表示機能部２５が挟まれている。
【００４７】
図６に示す３つの表示機能部２３、２４、２５の各風速検出部５は、いずれも同じ感度に調整されている。図６に示すように、表示機能部２３、２４、２５を３か所に配置すれば、図４に示すように、表示機能部１１、１２を２か所とした構成に比べて、風速の分布や境界をより直感的に把握しやすくなる。
【００４８】
なお、図１に示すように、表示機能部３が１か所のみ配置された風速測定装置１においても、風速測定装置１を、図５に示す（ａ）から（ｂ）、及び（ｃ）へ移動させることで、表示機能部３の発光部４の表示色が変る。このため、各位置に応じた表示色の違いにより、直感的に、風速の分布や境界を識別することができる。
【００４９】
ただし、図４や図６に示すように、風速測定装置１０、２０に、表示機能部を複数箇所、配置することで、更に、直感的に、風速の分布や境界を識別しやすくなる。すなわち、複数の表示機能部が設けられた構成では、各表示機能部の表示色が異なれば、その位置から風速測定装置を移動させなくても、風速分布や境界をより直感的に識別することができる。
【００５０】
表示機能部は、風速測定装置を構成する本体部の端部に配置されることが好ましい。特に、図４や図６に示すように、表示機能部は、本体部２の両端に配置されることが好ましい。また、図１、図４及び図６に示すように、本体部の端部に配置された表示機能部では、本体部２の端部側から発光部４及び風速検出部５の順に配置されることが好ましい。
【００５１】
操作者が、風速測定装置を手に持って、風速を測定したい箇所に移動させるとき、表示機能部側を、風速を測定したい箇所にかざして、風速を測定する。このため、風速測定装置を本体部２の端部に配置することで、測定者が測定したい箇所の風速を適切に測ることができる。
【００５２】
図６に示す風速測定装置２０の具体的な形状について図７を用いて説明する。図７Ａの正面図、及び図７Ｂの斜視図に示すように、本体部２は、第１の本体部２１と第２の本体部２２とで構成される。第１の本体部２１の図示左端部には、第１の発光部４ａが設けられ、更に、第１の発光部４ａの左端部に、風速検出部５ａが配置されている。また、第２の本体部２２の図示右端部には、第２の発光部４ｂが設けられ、更に、第２の発光部４ｂの右端部に、第２の風速検出部５ｂが配置されている。また、第１の本体部２１の図示右端部に第３の発光部４ｃが配置され、第３の発光部４ｃと第２の本体部２２との間に第３の風速検出部５ｃが配置されている。
【００５３】
図７Ａ及び図７Ｂに示すように、各風速検出部５ａ、５ｂ、５ｃは、周方向に沿って複数の窓を有するハウジング２６ａ、２６ｂ、２６ｃの内部に配置されている。
【００５４】
図７Ａ及び図７Ｂに示すように、第１の風速検出部５ａを収容する第１のハウジング２６ａは、円板状の基部２６ａ１と、円板状の天井部２６ａ２と、基部と天井部とを周方向に間隔を空けて繋ぐ複数本の柱部２６ａ３と、を有して構成される。柱部２６ａ３と柱部２６ａ３との間が窓２７ａである。基部２６ａ１は、第１の発光部４ａの左端部に接合されている。
【００５５】
第２の風速検出部５ｂを収容する第２のハウジング２６ｂ、及び、第３の風速検出部５ｃを収容する第３のハウジング２６ｃも同様の構成である。第２のハウジング２６ｂは、その基部２６ｂ１が、第２の発光部４ｂの右端部に接合されている。第３のハウジング２６ｃは、第２の本体部２２の左端部から突き出した複数本の柱部２６ｃ３と、基部２６ｃ１とを有し、天井部は、第２の本体部２２が兼ねている。
【００５６】
図７Ｂに示すように、各ハウジングの各基部には、夫々、貫通孔２８が設けられており、貫通孔２８を通じて、各風速検出部５ａ、５ｂ、５ｃが、基部と天井部との間の空間に位置している。
【００５７】
ここで、図８に示すように、例えば、風速検出部５と、フルカラーＬＥＤ８とは、共通のセンサ基板２９に配置されている。マイコン７を、センサ基板２９に設置することができる。図８に示すフルカラーＬＥＤ８は、各発光部４ａ、４ｂ、４ｃ（図７参照）の内部に位置しており、フルカラーＬＥＤ８が発光することで、各発光部４ａ、４ｂ、４ｃが、所定の色に表示される。そして、図８に示す風速検出部５（図７では、風速検出部５ａ、５ｂ、５ｃ）は、各ハウジング２６ａ、２６ｂ、２６ｃの基部と天井部との間の空間に突き出した状態で支持される。図７Ａ及び図７Ｂに示すように、各ハウジング２６ａ、２６ｂ、２６ｃには複数の窓２７ａ、２７ｂ、２７ｃが設けられている。したがって、風は、各窓２７ａ、２７ｂ、２７ｃを通して各風速検出部５ａ、５ｂ、５ｃにまで届くようになっている。既に図３を用いて説明した風速検出部５の流量検知用抵抗素子４３は、外部に露出しており、風の影響を受けて抵抗値が変化する。
【００５８】
図７Ａ及び図７Ｂに示す構成により、各風速検出部５ａ、５ｂ、５ｃにて、夫々、適切に風速を検知することができる。また、風速検出部５ａ、５ｂ、５ｃは、複数本の柱部や天井部を備えたハウジング２６ａ、２６ｂ、２６ｃの内側に配置されているので、風速検出部５ａ、５ｂ、５ｃを外部接触等から適切に保護することができる。
【００５９】
或いは、風速測定装置は、図９に示す構造であってもよい。図９では、各発光部４ａ、４ｂ、４ｃの端部に円柱状のセンサ設置部３０ａ、３０ｂ、３０ｃが設けられており、各センサ設置部３０ａ、３０ｂ、３０ｃの外周面に、風速検出部５ａ、５ｂ、５ｃが配置されている。図９の構成では、フルカラーＬＥＤ８と、風速検出部５は、個別に設けられており、センサ設置部３０ａ、３０ｂ、３０ｃや本体部２の内側に設けられたマイコン７（図２参照）を介して、フルカラーＬＥＤ８と、風速検出部５とが電気的に接続されている。
【００６０】
例えば、図９にて設けられた各風速検出部５ａ、５ｂ、５ｃでは、流量検知用抵抗素子４３（図３参照）が基板の外側、温度補償用抵抗素子４４（図３参照）が基板の内側に配置されるなどして、流量検知用抵抗素子４３が風の影響を直接受けるように配置され、温度補償用抵抗素子４４が風の影響を受けないように配置される。
【００６１】
或いは、各風速検出部５ａ、５ｂ、５ｃは、流量検知用抵抗素子４３が設けられた風速センサであり、温度補償用抵抗素子４４は、温度センサとして別個に設けられていてもよい。すなわち、各センサ設置部３０ａ、３０ｂ、３０ｃには、風速センサと温度センサとが設けられている。
【００６２】
このように、風速センサと温度センサとを別個に設ける構成では、各センサ設置部３０ａ、３０ｂ、３０ｃに、一つの温度センサと、複数の風速センサとを設けた構成とすることができる。例えば、スイッチング回路を用いて、一つの温度センサと、複数の風速センサとで、図３に示す回路を構成することができる。
【００６３】
以上のように、図９では、各表示機能部２３、２４、２５に、夫々、複数の風速検出部５ａ、５ｂ、５ｃが設けられているが、各表示機能部２３、２４、２５の風速検出部５ａ、５ｂ、５ｃにおいて夫々、最も大きな風速値に基づいて、各発光部４ａ、４ｂ、４ｃの表示色を制御することができる。
【００６４】
図７、図９に示す風速測定装置の表示機能部の構造は、図１に示すように、表示機能部３が本体部２の一方の端部のみに設けられた構造、図４に示すように、本体部２の両端に表示機能部１１、１２を設けた構造に夫々、適用することができる。
【００６５】
以上、詳述したように、本実施形態におけるハンディ型の風速測定装置は、把持可能な本体部と、本体部にて支持された表示機能部と、有している。また、表示機能部は、風速検出部と、風速検出部の測定値変化に応じて、表示状態が変化する発光部と、有する。
【００６６】
そして、本実施形態のハンディ型の風速測定装置を、風速変化を測定したい箇所に移動させる。風速を検知することで、発光部は、その風速に応じた表示状態を示す。このとき、表示状態の変化に基づいて、操作者は、直感的に、風速変化の分布や境界等の状況を認識することができる。すなわち、本実施形態では、操作者が直接、風速を測定したい箇所に風速測定装置を持っていきながら発光部の表示状態の変化を見ることができるので、直感的に、風速変化を認識しやすい。例えば、数値やグラフにて風速を表示する場合と異なって、風速を色で表示することで、より直感的に風速変化を認識しやすい。このような、機能及び効果は、図１に示すように、表示機能部が一つのみ設けられた構造及び表示機能部が複数設けられた構造の双方において得ることができる。
【００６７】
また、図４や図６、図７及び図９に示すように、複数の表示機能部を有するハンディ型の風速測定装置を、物理量変化を測定したい箇所に移動させると、各表示機能部における発光部の表示状態の違いを検出することができる。このように、一度に多点の風速を測定することができる。このとき、表示状態の違いにより、更に直感的に、風速変化の分布や境界を認識することができる。すなわち、例えば、図４のように、本体部２の両端に表示機能部１１、１２が設けられた構成では、各表示機能部１１、１２の表示色が異なることで、表示機能部１１側と、表示機能部１２側とで、風速変化に分布が生じており、また、表示機能部１１と、表示機能部１２との間に風速の境界があることを直感的に認識することができる。また、風速の分布が、時々刻々と変化する場合、一つの表示機能部を有する構成では、風速分布や境界を測定しづらい。これに対して、表示機能部を複数設けた構成では、風速の分布が、時々刻々と変化する場合でも、一度に多点の風速を測定できるので、風の強い場所と風の弱い場所との分布や境界のおおよその見当をつけやすい。
【００６８】
本実施形態の風速測定装置は、ハンディ型であり、風速を測定したい場所に自由に移動させて計測が可能である。例えば、図５に示したエアコン６０以外にも、空気清浄器や、換気扇等の風速状況を測定することができる。また、家庭用のみならず、試験や分析のために産業用として本実施形態の風速測定装置を用いることもできる。
【００６９】
また、測定時、操作者がずっと風速測定装置を手に持っていなくても、風速測定装置を、任意の場所に設置して風速測定を行えるようにしてもよい。また、表示機能部を本体部から伸縮自在に支持し、手が届きにくいような場所の風速を測定する場合は、表示機能部を本体部から延ばした状態で測定することも可能である。
【００７０】
上記では、風速測定装置について説明したが、風速以外の物理量変化の測定に適用することができる。例えば、ガス流や、水等の液体を対象とした流速変化を測定するものであってもよい。或いは、流速以外に、温度変化、湿度変化、及び、圧力変化等の物理量変化を検出する構成であってもよい。
【産業上の利用可能性】
【００７１】
本発明のハンディ型の物理量測定装置によれば、直感的に、物理量変化の分布や境界を識別することができる。よって、本発明の物理量測定装置を、家庭用、産業用等として、簡便に用いることができる。
【００７２】
また、本発明のハンディ型の物理量測定装置としては、風速や、温度変化、湿度変化、及び、圧力変化等の物理量変化を検出することが可能である。
【符号の説明】
【００７３】
１、１０、２０  風速測定装置
２、２１、２２  本体部
３、１１、１２、２３、２４、２５  表示機能部
４  発光部
５  風速検出部
７  マイコン
８  フルカラーＬＥＤ
２６ａ、２６ｂ、２６ｃ  ハウジング
２７ａ、２７ｂ、２７ｃ  窓
２９  センサ基板
３０ａ、３０ｂ、３０ｃ  センサ設置部
４３  流量検知用抵抗素子
４４  温度補償用抵抗素子
６０  エアコン
【図１】
2019074390.tif 000004
【図２】
2019074390.tif 000005
【図３】
2019074390.tif 000006
【図４】
2019074390.tif 000007
【図５】
2019074390.tif 000008
【図６】
2019074390.tif 000009
【図７】
2019074390.tif 000010
【図８】
2019074390.tif 000011
【図９】
2019074390.tif 000012